(57)【要約】【課題】多重放送の割込み信号が発生すると、ディスク再生による記憶機能及び多重放送受信機能が同時に動作してしまう。【解決手段】記憶指令を検出すると、ディスク再生部２１にて再生した記憶対象の音楽曲データをフラッシュメモリ３１に記憶する記憶機能と、ＲＤＳ放送信号を受信するラジオチューナ機能とを備えた車載用オーディオ装置１であって、ＲＤＳ放送信号の割込み信号を検出すると、記憶動作中であるか否かを判定する記憶動作判定部７１と、記憶動作中に、禁止フラグが設定中であるか否かを判定するフラグ判定部７２と、禁止フラグ設定中に、割込み信号がアラーム割込み信号であるか否かを判定するアラーム割込み判定部７３と、アラーム割込み信号であれば、記憶動作を中止して割込み信号の受信動作を実行すると共に、アラーム割込み信号でなければ、記憶動作を継続する制御部６８とを有している。【選択図】  図３
2004348872.tif 000002
【特許請求の範囲】
【請求項１】
一又は複数の音楽曲データが記録された記録媒体を再生する記録媒体再生部と、記録媒体内の記憶対象の音楽曲データを記憶する記憶手段と、記憶指令を検出すると、前記記録媒体再生部にて再生した記憶対象の音楽曲データを前記記憶手段に記憶する記憶制御手段と、多重放送を受信する多重放送受信手段とを備えたオーディオ装置であって、
前記多重放送の割込み信号を検出する割込み信号検出手段と、
この割込み信号検出手段にて割込み信号を検出すると、前記記憶制御手段による記憶対象の音楽曲データを前記記憶手段に記憶する記憶動作中であるか否かを判定する記憶動作判定手段と、
この記憶動作判定手段にて記憶動作中であると判定されると、前記割込み信号の受付を無効とし、前記記憶動作を継続すると共に、前記記憶動作判定手段にて記憶動作中でないと判定されると、前記割込み信号の受付を有効とし、前記多重放送受信手段による多重放送の受信動作を実行する制御手段とを有することを特徴とするオーディオ装置。
【請求項２】
一又は複数の音楽曲データが記録された記録媒体を再生する記録媒体再生部と、記録媒体内の記憶対象の音楽曲データを記憶する記憶手段と、記憶指令を検出すると、前記記録媒体再生部にて再生した記憶対象の音楽曲データを前記記憶手段に記憶する記憶制御手段と、多重放送を受信する多重放送受信手段とを備えたオーディオ装置であって、
前記多重放送の割込み信号を検出する割込み信号検出手段と、
禁止フラグを設定するフラグ設定手段と、
前記割込み信号検出手段にて割込み信号を検出すると、前記記憶制御手段による記憶対象の音楽曲データを前記記憶手段に記憶する記憶動作中であるか否かを判定する記憶動作判定手段と、
この記憶動作判定手段にて記憶動作中であると判定されると、前記フラグ設定手段にて禁止フラグが設定中であるか否かを判定するフラグ判定手段と、
このフラグ判定手段にて禁止フラグが設定中であると判定されると、前記割込み信号の受付を無効とし、前記記憶動作を継続すると共に、前記フラグ判定手段にて禁止フラグが設定中でないと判定されると、前記割込み信号の受付を有効とし、前記記憶動作を中止して、前記多重放送受信手段による前記多重放送の受信動作を実行する制御手段とを有することを特徴とするオーディオ装置。
【請求項３】
一又は複数の音楽曲データが記録された記録媒体を再生する記録媒体再生部と、記録媒体内の記憶対象の音楽曲データを記憶する記憶手段と、記憶指令を検出すると、前記記録媒体再生部にて再生した記憶対象の音楽曲データを前記記憶手段に記憶する記憶制御手段と、多重放送を受信する多重放送受信手段とを備えたオーディオ装置であって、
前記多重放送の割込み信号を検出する割込み信号検出手段と、
禁止フラグを設定するフラグ設定手段と、
前記割込み信号検出手段にて割込み信号を検出すると、前記記憶制御手段による記憶対象の音楽曲データを前記記憶手段に記憶する記憶動作中であるか否かを判定する記憶動作判定手段と、
この記憶動作判定手段にて記憶動作中であると判定されると、前記フラグ設定手段にて禁止フラグが設定中であるか否かを判定するフラグ判定手段と、
このフラグ判定手段にて禁止フラグが設定中であると判定されると、前記割込み信号検出手段にて検出した割込み信号が特定割込み信号であるか否かを判定する特定割込み判定手段と、
この特定割込み判定手段にて特定割込み信号であると判定されると、前記割込み信号の受付を有効とし、前記記憶動作を中止して、前記多重放送受信手段による前記多重放送の受信動作を実行すると共に、前記特定割込み判定手段にて特定割込み信号でないと判定されると、前記割込み信号の受付を無効とし、前記記憶動作を継続する制御手段とを有することを特徴とするオーディオ装置。
【請求項４】
前記特定割込み信号は、緊急情報を示すアラーム割込み信号であることを特徴とする請求項３記載のオーディオ装置。
【発明の詳細な説明】
【０００１】
【発明の属する技術分野】
本発明は、音楽曲データを複数記録した、例えばＣＤ，ＤＶＤ、ＭＤ等のディスク（記録媒体）から記憶対象の音楽曲データを選択し、この選択した記憶対象の音楽曲データを、例えばフラッシュメモリやハードディスク等の記憶手段に記憶する記憶機能を備えた車載用オーディオ装置等のオーディオ装置に関する。
【０００２】
【従来の技術】
従来、このようなオーディオ装置としては、複数の音楽曲データを記録したディスクから記憶対象の音楽曲データを選択し、この選択した記憶対象の音楽曲データをフラッシュメモリに記憶する記憶機能と、このフラッシュメモリに記憶した音楽曲データを再生する再生機能とを備えたものが知られている（例えば特許文献１参照）。
【０００３】
このような特許文献１のオーディオ装置によれば、ディスクに記録された音楽曲データをフラッシュメモリに記憶し、このフラッシュメモリに記憶した音楽曲データを再生できるようにしたので、フラッシュメモリに所望の音楽曲データを記憶しておくことで、同音楽曲データをディスクで保管する必要がなくなる。
【０００４】
【特許文献１】
特開２００２−２０８２５９号公報（要約書、図１及び図２参照）
【０００５】
【発明が解決しようとする課題】
しかしながら、このような特許文献１のオーディオ装置によれば、例えばＲＤＳ放送やＤＡＢ放送等のラジオ多重放送を受信する多重放送受信機能は備えられていないものの、このような多重放送受信機能を備えた場合、例えばディスク再生部にて再生した記憶対象の音楽曲データをフラッシュメモリに記憶する際に、このディスク再生部のメカ動作によって発生する輻射波が多重放送受信機能の放送受信を妨害してしまうため、記憶動作中には多重放送受信機能を使用しないようにしても、多重放送受信機能においては交通情報等を割込み通知する割込み信号が発生して多重放送受信機能が起動してしまうといった事態も考えられる。
【０００６】
本発明は上記点に鑑みてなされたものであり、その目的とするところは、多重放送の割込み信号が発生したとしてもディスク再生による記憶機能及び多重放送受信機能が同時に動作してしまう事態を確実に防止することができるオーディオ装置を提供することにある。
【０００７】
【課題を解決するための手段】
上記目的を達成するために本発明のオーディオ装置は、一又は複数の音楽曲データが記録された記録媒体を再生する記録媒体再生部と、記録媒体内の記憶対象の音楽曲データを記憶する記憶手段と、記憶指令を検出すると、前記記録媒体再生部にて再生した記憶対象の音楽曲データを前記記憶手段に記憶する記憶制御手段と、多重放送を受信する多重放送受信手段とを備えたオーディオ装置であって、前記多重放送の割込み信号を検出する割込み信号検出手段と、この割込み信号検出手段にて割込み信号を検出すると、前記記憶制御手段による記憶対象の音楽曲データを前記記憶手段に記憶する記憶動作中であるか否かを判定する記憶動作判定手段と、この記憶動作判定手段にて記憶動作中であると判定されると、前記割込み信号の受付を無効とし、前記記憶動作を継続すると共に、前記記憶動作判定手段にて記憶動作中でないと判定されると、前記割込み信号の受付を有効とし、前記記憶動作を中止して、前記多重放送受信手段による多重放送の受信動作を実行する制御手段とを有するようにした。
【０００８】
従って、本発明のオーディオ装置によれば、多重放送の割込み信号を検出すると、記憶動作中であるか否かを判定し、記憶動作中であると判定されると、割込み信号の受付を無効とし、この記憶動作を継続すると共に、記憶動作中でないと判定されると、割込み信号の受付を有効とし、前記記憶動作を中止して、多重放送の受信動作を実行するようにしたので、多重放送の割込み信号が発生したとしても記録媒体再生による記憶機能及び多重放送受信機能が同時に動作してしまう事態を確実に防止することができる。
【０００９】
本発明野オーディオ装置は、一又は複数の音楽曲データが記録された記録媒体を再生する記録媒体再生部と、記録媒体内の記憶対象の音楽曲データを記憶する記憶手段と、記憶指令を検出すると、前記記録媒体再生部にて再生した記憶対象の音楽曲データを前記記憶手段に記憶する記憶制御手段と、多重放送を受信する多重放送受信手段とを備えたオーディオ装置であって、前記多重放送の割込み信号を検出する割込み信号検出手段と、禁止フラグを設定するフラグ設定手段と、前記割込み信号検出手段にて割込み信号を検出すると、前記記憶制御手段による記憶対象の音楽曲データを前記記憶手段に記憶する記憶動作中であるか否かを判定する記憶動作判定手段と、この記憶動作判定手段にて記憶動作中であると判定されると、前記フラグ設定手段にて禁止フラグが設定中であるか否かを判定するフラグ判定手段と、このフラグ判定手段にて禁止フラグが設定中であると判定されると、前記割込み信号の受付を無効とし、前記記憶動作を継続すると共に、前記フラグ判定手段にて禁止フラグが設定中でないと判定されると、前記割込み信号の受付を有効とし、前記記憶動作を中止して、前記多重放送受信手段による前記多重放送の受信動作を実行する制御手段とを有するようにした。
【００１０】
従って、本発明のオーディオ装置によれば、割込み信号を検出し、記憶動作中であると判定されると、禁止フラグ設定中であるか否かを判定し、禁止フラグが設定中であると判定されると、割込み信号の受付を無効とし、記憶動作を継続すると共に、禁止フラグが設定中でないと判定されると、割込み信号の受付を有効にし、記憶動作を中止して、多重放送の受信動作を実行するようにしたので、多重放送の割込み信号が発生したとしても記録媒体再生による記憶機能及び多重放送受信機能が同時に動作してしまう事態を確実に防止することができる。
【００１１】
本発明のオーディオ装置は、一又は複数の音楽曲データが記録された記録媒体を再生する記録媒体再生部と、記録媒体内の記憶対象の音楽曲データを記憶する記憶手段と、記憶指令を検出すると、前記記録媒体再生部にて再生した記憶対象の音楽曲データを前記記憶手段に記憶する記憶制御手段と、多重放送を受信する多重放送受信手段とを備えたオーディオ装置であって、前記多重放送の割込み信号を検出する割込み信号検出手段と、禁止フラグを設定するフラグ設定手段と、前記割込み信号検出手段にて割込み信号を検出すると、前記記憶制御手段による記憶対象の音楽曲データを前記記憶手段に記憶する記憶動作中であるか否かを判定する記憶動作判定手段と、この記憶動作判定手段にて記憶動作中であると判定されると、前記フラグ設定手段にて禁止フラグが設定中であるか否かを判定するフラグ判定手段と、このフラグ判定手段にて禁止フラグが設定中であると判定されると、前記割込み信号検出手段にて検出した割込み信号が特定割込み信号であるか否かを判定する特定割込み判定手段と、この特定割込み判定手段にて特定割込み信号であると判定されると、前記割込み信号の受付を有効とし、前記記憶動作を中止して、前記多重放送受信手段による前記多重放送の受信動作を実行すると共に、前記特定割込み判定手段にて特定割込み信号でないと判定されると、前記割込み信号の受付を無効とし、前記記憶動作を継続する制御手段とを有するようにした。
【００１２】
従って、本発明のオーディオ装置によれば、割込み信号を検出し、記憶動作中であると判断し、さらに禁止フラグ設定中であると判断されると、割込み信号が特定割込み信号であるか否かを判定し、特定割込み信号であると判断されると、割込み信号の受付を有効にし、記憶動作を中止して、多重放送の受信動作を実行すると共に、特定割込み信号でないと判断されると、割込み信号の受付を無効にし、記憶動作を継続するようにしたので、多重放送の割込み信号が発生したとしても記録媒体再生による記憶機能及び多重放送受信機能が同時に動作してしまう事態を確実に防止することができる。
【００１３】
本発明のオーディオ装置は、前記特定割込み信号が、緊急情報を示すアラーム割込み信号であるようにした。
【００１４】
従って、本発明のオーディオ装置によれば、多重放送の緊急情報を示すアラーム割込み信号が発生したとしても、記録媒体再生による記憶機能及び多重放送受信機能が同時に動作してしまう事態を確実に防止することができる。
【００１５】
【発明の実施の形態】
以下、図面に基づいて本発明のオーディオ装置における実施の形態を示す車載用オーディオ装置について説明する。図１は本実施の形態を示す車載用オーディオ装置内部の概略構成を示すブロック図である。
【００１６】
図１に示す車載用オーディオ装置１は、ラジオチューナ機能と、ディスク再生機能と、このディスク再生機能にて再生した音楽曲データを圧縮記憶し、さらには、この圧縮記憶した音楽曲データを再生可能とする圧縮記憶再生機能と、これらラジオチューナ機能、ディスク再生機能及び圧縮記憶再生機能からの出力信号を音量調整する電子ボリューム部２と、この電子ボリューム部２にて音量調整した出力信号を増幅するアンプ部３と、このアンプ部３にて増幅した出力信号を音声出力するスピーカ部４と、様々な操作を入力する操作パネル５と、この車載用オーディオ装置１全体を制御するマイコン６とを有している。
【００１７】
ラジオチューナ機能は、到来する放送電波を受信する受信アンテナ１１と、この受信アンテナ１１で受信した放送電波から任意周波数の放送信号に同調するラジオチューナ部１２と、任意周波数の放送信号に同調するための同調周波数信号を生成するＰＬＬ１３と、ラジオチューナ部１２にて同調した放送信号がＲＤＳ放送信号の場合には、このＲＤＳ放送信号からＲＤＳデータを抽出し、この抽出したＲＤＳデータを解読するＲＤＳデコーダ１４とを有している。
【００１８】
ディスク再生機能は、ディスクに記録された音楽曲データを再生するディスク再生部２１と、このディスク再生部２１にて再生した音楽曲データの信号処理を施すＤＳＰ２２とを有している。
【００１９】
圧縮記憶再生機能は、ディスク再生部２１にて再生した音楽曲データを圧縮記憶するフラッシュメモリ３１と、マイコン６からの記憶指令を検出すると、ディスク再生部２１にて再生した音楽曲データ（記憶対象の音楽曲データ）を圧縮し、この圧縮した音楽曲データをフラッシュメモリ３１に圧縮記憶すると共に、マイコン６からの再生指令を検出すると、フラッシュメモリ３１に圧縮記憶された音楽曲データ（記憶済み音楽曲データ）を伸長し、この伸長した音楽曲データを電子ボリューム部２に伝送するＤＳＰ２２と、フラッシュメモリ３１に圧縮記憶した音楽曲データに関わるフォルダ単位で管理するフォルダ管理情報を記憶したフォルダ管理メモリ３２とを有している。
【００２０】
尚、圧縮記憶再生機能のＤＳＰ２２では、高音質のＨＱモード及び通常音質のＬＰモードの２種類の記憶設定モードを有し、ＨＱモードでは、４４．１ｋＨｚのサンプリングレート及び６４ｋｂｐｓのビットレートで音楽曲データを圧縮し、ＬＰモードでは、３２ｋＨｚのサンプリングレート及び４８ｋＨｚのビットレートで音楽曲データを圧縮するものである。
【００２１】
また、ＤＳＰ２２は、ディスクに記録された記憶対象の音楽曲データをフラッシュメモリ３１に記憶する場合、このディスクに対応した新しいフォルダをフラッシュメモリ３１内に作成し、このフォルダ内に記憶対象の音楽曲データを、設定中の記憶設定モードに対応したビットレートで圧縮記憶するものである。尚、フラッシュメモリ３１内のフォルダは、ディスク１枚につき１個のフォルダが作成され、例えば１枚のディスクに記録された複数の音楽曲データの内、数曲の音楽曲データがディスクに対応したフォルダに記憶され、後日、残りの音楽曲データを記憶する場合には、同ディスクに対応した同一のフォルダ内に音楽曲データが記憶されることになる。また、このフォルダには、後述するフォルダ番号が付与され、同フォルダ内に記憶済みの音楽曲データにはトラック番号が付与されることになる。
【００２２】
また、ＤＳＰ２２は、マイコン６からの消去指令を検出すると、フラッシュメモリ３１に記憶済みの音楽曲データから消去対象の音楽曲データを消去するものである。
【００２３】
操作部パネル５は、複数のキー群で構成し、様々な指令を入力する操作部４０と、様々な情報を表示する表示部５０とを有し、表示部５０は、操作部４０の各キーに対応したＬＥＤ表示部５１と、操作部４０のキー群の内、後述するＲＥＣキー４２に設けたイルミネーション機能であるキーイルミネーション表示部５２と、メッセージ等を表示するＬＣＤ表示部５３とを有している。
【００２４】
図２は車載用オーディオ装置１の操作パネル５を示す説明図である。
【００２５】
操作パネル５の操作部４０は、例えばラジオチューナ機能、ディスク再生機能や圧縮記憶再生機能等を選択するＦＮＣキー４１Ａと、このＦＮＣキー４１Ａにて選択された機能の動作モードを切替選択するＢＮＤキー４１Ｂと、フラッシュメモリ３１に音楽曲データを圧縮記憶する圧縮記憶再生機能の記憶動作を起動するＲＥＣキー４２と、様々な指令内容をＬＣＤ表示部５３に表示させるジョグダイヤル４１Ｃと、ディスク再生機能や圧縮記憶再生機能時の早送りキー４１Ｄ及び早戻しキー４１Ｅと、ディスク再生機能や圧縮記憶再生機能時の再生又は一時停止を実行すると共に、圧縮記憶再生機能時の記憶対象又は消去対象を選択するＥＮＴキー４３と、ディスク再生機能時は曲単位でサーチアップ又はサーチダウン動作を実行し、圧縮記憶再生機能時の再生中はフラッシュメモリ３１内を曲単位（ファイル単位）でファイルアップ又はファイルダウン動作を実行し、圧縮記憶再生機能時の再生中以外の場合はフォルダ単位でフォルダアップ又はフォルダダウン動作を実行するＵＰキー４１Ｆ及びＤＯＷＮキー４１Ｇとを有している。
【００２６】
尚、ジョグダイヤル４１は、前述した記憶設定モードであるＨＱモード又はＬＰモードを切替設定するものである。また、ジョグダイヤル４１は、後述するＲＤＳ放送信号の割込み信号によるラジオチューナ機能の起動を許可する許可フラグと、割込み信号によるラジオチューナ機能の起動を禁止する禁止フラグとを切替設定するものである。
【００２７】
さらに操作部４０は、ディスク再生機能又は圧縮記憶再生機能時にスキャン再生を実行するＳＣＮキー４１Ｈと、ディスク再生機能又は圧縮記憶再生機能時にリピート再生を実行するＲＰＴキー４１Ｉと、ディスク再生機能又は圧縮記憶再生機能時にランダム再生を実行するＲＤＭキー４１Ｊと、圧縮記憶再生機能時にフラッシュメモリ３１に記憶済みの音楽曲データを消去するＥＲＳキー４４と、オートストア及びプリセットを実行するＡＳ／ＰＳキー４１Ｋと、圧縮記憶再生機能時にタイトル名として、例えばフォルダ番号をＬＣＤ表示部５３に表示するＴＩＴＬＥキー４１Ｌと、ＬＣＤ表示部５３に表示中のタイトル名を、例えばフォルダ番号又はファイル番号に切替表示するＤＩＳＰキー４１Ｍと、交通情報をワンタッチ操作で受信するＩＳＲキー４１Ｎと、ディスク再生部２１に搭載したディスクを排出するＥＪＥＣＴキー４１Ｏとを有している。
【００２８】
尚、ＳＣＮキー４１Ｈ、ＲＰＴキー４１Ｉ及びＲＤＭキー４１Ｊは、スキャン再生、リピート再生及びランダム再生等の特殊再生を起動するものである。
【００２９】
圧縮記憶再生機能時のスキャン再生は、フラッシュメモリ３１に記憶済みの音楽曲データを曲単位（ファイル単位）で曲先頭の１０秒間のみを順次再生するファイルスキャン再生と、フラッシュメモリ３１に記憶済みのディスク単位（フォルダ単位）でフォルダ内の先頭曲（ファイル番号“００１”）に関わる曲先頭の１０秒間のみを順次再生するフォルダスキャン再生とを有し、ＳＣＮキー４１Ｈの押下時間が１秒未満であると判定されると、ファイルスキャン再生を設定し、ＳＣＮキー４１Ｈの押下時間が１秒以上であると判定されると、フォルダスキャン再生を設定するものである。
【００３０】
圧縮記憶再生機能時のリピート再生は、フラッシュメモリ３１に記憶済みの音楽曲データを曲単位（ファイル単位）でリピート再生するファイルリピート再生と、フラッシュメモリ３１に記憶済みのディスク単位（フォルダ単位）で同フォルダ内の音楽曲データをリピート再生するフォルダリピート再生とを有し、ＲＰＴキー４１Ｉの押下時間が１秒未満であると判定されると、ファイルリピート再生を設定し、ＲＰＴキー４１Ｉの押下時間が１秒以上であると判定されると、フォルダリピート再生を設定するものである。
【００３１】
圧縮記憶再生機能時のランダム再生は、フォルダ内の全音楽曲データをランダム再生するフォルダ内ランダム再生と、フラッシュメモリ３１内の全音楽曲データをランダム再生するメモリ内ランダム再生とを有し、ＲＤＭキー４１Ｊの押下時間が１秒未満であると判定されると、フォルダ内ランダム再生を設定し、ＲＤＭキー４１Ｊの押下時間が１秒以上であると判定されると、メモリ内ランダム再生を設定するものである。
【００３２】
図３は本実施の形態に関わる車載用オーディオ装置１のマイコン６内部の概略構成を示すブロック図である。
【００３３】
図３に示すマイコン６は、ディスク再生部２１から記憶対象の音楽曲データをフラッシュメモリ３１に圧縮記憶すべく、ＤＳＰ２２及びディスク再生部２１を駆動制御する記憶駆動制御部６１と、ディスク再生部２１を通じてディスクの固有識別情報を検出する固有識別情報検出部６２と、フォルダ管理メモリ３２の制御を司るフォルダ管理部６３と、記憶対象の音楽曲データの記憶指令を検出すると、この記憶対象の音楽曲データに対応した固有識別情報に該当する固有識別情報（ディスク情報及びトラック番号）がフォルダ管理メモリ３２内にあるか否かを判定する情報判定部６４と、記憶対象の音楽曲データをフラッシュメモリ３１に記憶できる状態、すなわち記憶可能状態であるか否かを判定する記憶可能状態判定部６５と、操作パネル５内の操作部４０の操作を監視する操作監視部６６と、操作パネル５内の表示部５０に報知内容を報知すべく、表示部５０を駆動制御する報知駆動制御部６７と、このマイコン６全体の制御を司る制御部６８とを有している。
【００３４】
制御部６８は、記憶機能を起動する記憶モードを設定可能とし、この記憶モードは、ディスク単位で同ディスク内の全音楽曲データをフラッシュメモリ３１に圧縮記憶するディスク記憶処理と、曲単位で１音楽曲データをフラッシュメモリ３１に圧縮記憶する１トラック記憶処理とを有している。
【００３５】
制御部６８は、１トラック記憶処理中に、情報判定部６４にて記憶対象の音楽曲データに対応した固有識別情報に該当する固有識別情報（ディスク情報及びトラック番号）がフォルダ管理メモリ３２内にあると判定されると、この記憶対象の音楽曲データをフラッシュメモリ３１に圧縮記憶する記憶動作を禁止すると共に、情報判定部６４にて該当する固有識別情報（ディスク情報及びトラック番号）がフォルダ管理メモリ３２内にないと判定されると、この記憶対象の音楽曲データを、設定中の記憶設定モードでフラッシュメモリ３１に圧縮記憶させるようにした。
【００３６】
制御部６８は、ディスク記憶処理中に、情報判定部６４にて該当固有識別情報（ディスク情報及びトラック番号）があると判定されると、この記憶対象の音楽曲データをフラッシュメモリ３１に圧縮記憶する記憶動作を禁止すると共に、情報判定部６４にて該当固有識別情報（ディスク情報及びトラック番号）がないと判定されると、ディスクに記録された音楽曲データの内、フラッシュメモリ３１に未記憶の音楽曲データを設定中の記憶設定モードで圧縮記憶するようにした。
【００３７】
記憶可能状態判定部６５は、記憶可能状態であるか否かを判定するものであり、例えばディスク再生部２１が特殊再生中の場合、フラッシュメモリ３１の空き容量に記憶対象の音楽曲データを記憶できるまでの容量が残っていない場合、記憶対象の音楽曲データを記録したディスクが記憶可能ディスクでない場合や、記憶対象の音楽曲データがフラッシュメモリ３１内に記憶済みである場合等には記憶可能状態でない、すなわち記憶不可能状態であることを認識するものである。尚、ディスク再生部２１にディスクが装着されていない場合も、記憶対象の音楽曲データがないため、記憶不可能状態であると認識するものである。
【００３８】
フォルダ管理部６３は、フラッシュメモリ３１内のフォルダ及び、同フォルダ内に圧縮記憶した音楽曲データ（ファイル）を固有識別情報と対応付けることでフォルダ管理情報を生成し、このフォルダ管理情報をフォルダ管理メモリ３２に記憶管理するものである。
【００３９】
制御部６８は、消去機能を起動する消去モードを設定可能とし、この消去モードは、フラッシュメモリ３１内に記憶済みの音楽曲データをファイル単位又はフォルダ単位で消去するファイル／フォルダ消去処理と、フラッシュメモリ３１内に記憶済みの全フォルダ及び全音楽曲データを一括消去するオール消去処理とを有している。尚、ファイル／フォルダ消去処理で消去する消去対象の音楽曲データは、例えばファイル再生中若しくはファイル一時停止中の音楽曲データや、ＵＰキー４１Ｆ及びＤＯＷＮキー４１Ｇで選択した音楽曲データに相当し、消去対象のフォルダは、例えばファイル再生中若しくはファイル一時停止中の音楽曲データを含むフォルダ、ＵＰキー４１Ｆ及びＤＯＷＮキー４１Ｇで選択された音楽曲データを含むフォルダ、ＵＰキー４１Ｆ及びＤＯＷＮキー４１Ｇで選択されたフォルダに相当するものである。
【００４０】
さらに、マイコン６は、ＲＤＳデコーダ１４にてＲＤＳ放送信号の割込み信号を検出する割込み信号検出部７０と、このＲＤＳ放送信号の割込み信号を検出すると、記憶駆動制御部６１による記憶対象の音楽曲データをフラッシュメモリ３１に記憶する記憶動作中であるか否かを判定する記憶動作判定部７１と、この記憶動作判定部７１にて記憶動作中であると判定されると、現在設定中の割込み信号フラグが禁止フラグであるか否かを判定するフラグ判定部７２と、フラグ判定部７２にて禁止フラグが設定中であると判定されると、割込み信号が災害情報等を示すアラーム割込み信号であるか否かを判定するアラーム割込み判定部７３とを有している。
【００４１】
尚、ＲＤＳ放送信号の割込み信号とは、例えば交通情報（ＴＡ）の通常の割込み信号や、災害情報等の緊急のアラーム割込み信号等である。
【００４２】
割込み信号フラグとは、前述したジョグダイヤル４１で設定する許可フラグ又は禁止フラグである。
【００４３】
制御部６８は、フラグ判定部７２にて現在設定中の割込み信号フラグが禁止フラグで、かつ、アラーム割込み判定部７３にて割込み信号がアラーム割込み信号でないと判定されると、割込み信号の受付を無効にして、記憶動作を継続するものである。
【００４４】
また、制御部６８は、フラグ判定部７２にて現在設定中の割込み信号フラグが禁止フラグで、かつ、アラーム割込み判定部７３にて割込み信号がアラーム割込み信号であると判定されると、割込み信号の受付を有効にして記憶動作を中止し、ＲＤＳ放送信号のラジオチューナ機能を起動するものである。
【００４５】
また、制御部６８は、フラグ判定部７２にて現在設定中の割込み信号フラグが禁止フラグでない、すなわち許可フラグであると判定されると、割込み信号の受付を有効にして記憶動作を中止し、ＲＤＳ放送信号のラジオチューナ機能を起動するものである。
【００４６】
図４はフォルダ管理メモリ３２のメモリ内容であるフォルダ管理情報の一例を示す説明図である。
【００４７】
フォルダ管理メモリ３２は、フォルダ毎にフォルダ管理情報を記憶管理している。このフォルダ管理情報は、フラッシュメモリ３１内に形成したフォルダを識別するフォルダ番号と、同フォルダに記憶するディスクの固有識別情報内のＴＯＣ情報に含まれるディスク情報と、このフォルダ内に記憶済みの音楽曲データに付与されるフォルダ内でのファイル番号と、同固有識別情報に含まれる音楽曲データのトラック番号と、同音楽曲データをフラッシュメモリ３１に記憶した記憶設定モードとを有し、フォルダ単位で記憶した複数の音楽曲データの固有識別情報（ディスク情報及びトラック番号）を記憶管理している。
【００４８】
例えばフォルダ番号“１”のフォルダには、“Ａ”のディスクのトラック番号“１”、“２”及び“３”の音楽曲データをファイル番号“００１”、“００２”、“００３”としてフラッシュメモリ３１にＨＱモードで圧縮記憶されている例を示している。
【００４９】
また、フォルダ番号“７”のフォルダには、“Ｆ”のディスクのトラック番号“３”の音楽曲データをファイル番号“００１”としてフラッシュメモリ３１にＨＱモードで圧縮記憶し、トラック番号“５”の音楽曲データをファイル番号“００２”としてＨＱモードで圧縮記憶し、トラック番号“１”の音楽曲データをファイル番号“００３”としてフラッシュメモリ３１にＬＰモードで圧縮記憶されている例を示している。
【００５０】
尚、請求項記載のオーディオ装置は車載用オーディオ装置１、記憶手段はフラッシュメモリ３１、記録媒体再生手段はディスク再生部２１、記憶制御手段はＤＳＰ２２及び記憶駆動制御部６１、多重放送受信手段はラジオチューナ１２及びＲＤＳデコーダ１４、割込み信号検出手段は割込み信号検出部７０、記憶動作判定手段は記憶動作判定部７１、フラグ判定手段はフラグ判定部７２、フラグ設定手段はジョグダイヤル４１Ｃ、特定割込み判定手段はアラーム割込み判定部７３、制御手段は制御部６８に相当するものである。
【００５１】
次に本実施の形態を示す車載用オーディオ装置１の動作について説明する。図５は本実施の形態に関わる車載用オーディオ装置１の記憶モード処理に関わるマイコン６の処理動作を示すフローチャートである。
【００５２】
図５に示す記憶モード処理とは、ディスク再生部２１にて記憶対象の音楽曲データをフラッシュメモリ３１に圧縮記憶する処理である。
【００５３】
図５においてマイコン６の操作監視部６６は、ＲＥＣキー４２の押下操作を検出したか否かを判定する（ステップＳ１１）。
【００５４】
マイコン６の制御部６８は、ＲＥＣキー４２の押下操作を検出したのであれば、ディスク再生部２１にてディスク再生中であるか否かを判定する（ステップＳ１２）。
【００５５】
操作監視部６６は、ディスク再生中であると判定されると、所定時間タイマをスタートする（ステップＳ１３）。尚、この所定時間タイマとは、押下操作時間（例えば２秒間）を計時するタイマに相当するものである。
【００５６】
操作監視部６６は、所定時間タイマをスタートすると、ステップＳ１１のＲＥＣキー４２の押下時間が所定時間未満であるか否かを判定する（ステップＳ１４）。制御部６８は、ＲＥＣキー４２の押下時間が所定時間未満であると判定されると、図６の１トラック記憶処理に移行し（ステップＳ１５）、この１トラック記憶処理を実行した後、この記憶モード処理を終了する。
【００５７】
また、制御部６８は、ステップＳ１４にてＲＥＣキー４２の押下時間が所定時間未満でないと判定されると、図７のディスク記憶処理に移行し（ステップＳ１６）、このディスク記憶処理を実行した後、この記憶モード処理を終了する。
【００５８】
また、ステップＳ１１にてＲＥＣキー４２の押下操作を検出したのでなければ、又はステップＳ１２にてディスク再生中でなければ、この記憶モード処理を終了する。
【００５９】
この記憶モード処理によれば、ディスク再生部２１によるディスク再生中にＲＥＣキー４２の押下操作を検出し、この押下時間が所定時間未満であると判定されると、１トラック記憶処理に移行し、押下時間が所定時間未満でないと判定されると、ディスク記憶処理に移行するようにしたので、単一のＲＥＣキー４２のキー操作だけで１トラック記憶処理又はディスク記憶処理に移行することができる。
【００６０】
次にステップＳ１５の１トラック記憶処理について説明する。図６は１トラック記憶処理に関わるマイコン６の処理動作を示すフローチャートである。
【００６１】
図６に示す１トラック記憶処理は、現在ディスク再生中の音楽曲データを記憶対象の音楽曲データとしてフラッシュメモリ３１に圧縮記憶する、１トラック単位の記憶処理である。
【００６２】
図６においてマイコン６の制御部６８は、ディスク再生部２１にて特殊再生中であるか否かを判定する（ステップＳ２１）。尚、この特殊再生とは、例えばスキャン再生、リピート再生やランダム再生等である。
【００６３】
制御部６８は、ディスク再生部２１にて特殊再生中でないと判定されると、現在の通常再生を停止する（ステップＳ２２）。尚、この通常再生の停止は、記憶対象の音楽曲データの再生が終了してしまうのを防止するためである。
【００６４】
記憶可能状態判定部６５は、ＤＳＰ２２を通じてフラッシュメモリ３１の空き容量と、ディスク再生部２１を通じて記憶対象の音楽曲データ（指定トラック）の容量とを夫々チェックし（ステップＳ２３）、フラッシュメモリ３１内に指定トラックを記憶することができるだけの空き容量があるか否かを判定する（ステップＳ２４）。
【００６５】
さらに記憶可能状態判定部６５は、フラッシュメモリ３１内に記憶可能な空き容量があると判定されると、ディスク再生部２１を通じて同記憶対象の音楽曲データを記録したディスクが記憶可能ディスクであるか否かを判定する（ステップＳ２５）。尚、この記憶可能ディスクとは、例えばＣＤ−ＤＡであり、記憶不可能ディスクとは、例えばコピープロテクションディスク（以下、単にＣＣＣＤ）の他に、例えばＣＤ−Ｒや、ＭＰ３、ＷＭＡの圧縮音楽曲データのみが記憶されたディスク等があげられる。
【００６６】
情報判定部６４は、ステップＳ２５にて記憶可能ディスクであると判定されると、固有識別情報検出部６２を通じてディスクの固有識別情報を検出し、この固有識別情報に含まれるディスク情報に対応したフォルダがフォルダ情報メモリ３２内にあるか否かを、フォルダ管理情報に基づいて判定する（ステップＳ２６）。
【００６７】
情報判定部６４は、同ディスクのディスク情報に対応したフォルダがあると判定されると、フォルダ管理情報に基づいて、同フォルダ内に同記憶対象の音楽曲データ（指定トラック）が未記憶であるか否かを判定する（ステップＳ２７）。
【００６８】
尚、同フォルダ内に記憶対象の音楽曲データが未記憶であるか否かは、フォルダ管理情報内の同ディスクに対応するトラック番号内に、同指定トラックの固有識別情報に含まれるトラック番号があるか否かで判断するものである。つまり、フォルダ管理情報内の同ディスクに対応するトラック番号内に同指定トラックのトラック番号があると判定されると、同フォルダ内に同記憶対象の音楽曲データが記憶済みであると判断し、フォルダ管理情報内の同ディスクに対応するトラック番号内に、同指定トラックのトラック番号がないと判定されると、同フォルダ内に同記憶対象の音楽曲データが未記憶であると判断するものである。
【００６９】
制御部６８は、ステップＳ２７にて同フォルダ内に指定トラックが未記憶であると判定されると、報知駆動制御部６７を通じて、ＲＥＣキー４２のキーイルミネーション表示部５２を緑色点灯する（ステップＳ２８）。尚、ユーザは、ＲＥＣキー４２のキーイルミネーション表示部５２の緑色点灯で記憶動作の開始を認識するものである。
【００７０】
さらに制御部６８は、図５のステップＳ１１のＲＥＣキー４２による記憶操作の受付を有効にすることで、記憶駆動制御部６１を通じて、現在停止中のトラック再生を指定トラックの先頭に戻し、この指定トラックの先頭からフラッシュメモリ３１の同フォルダ内への記憶動作を開始する（ステップＳ２９）。
【００７１】
制御部６８は、報知駆動制御部６７を通じて、ＲＥＣキー４２のキーイルミネーション表示部５２を緑色点滅し（ステップＳ３０）、ＬＣＤ表示部５３に“ＴＲＡＣＫ  ＲＥＣ”を表示する（ステップＳ３１）。尚、ユーザは、ＲＥＣキー４２のキーイルミネーション表示部５２の緑色点滅で記憶動作中であることを認識することができ、さらには“ＴＲＡＣＫ  ＲＥＣ”で１トラック記憶が行われていることを認識することができる。
【００７２】
制御部６８は、記憶駆動制御部６１を通じて記憶対象の音楽曲データの記憶動作が完了したか否かを判定する（ステップＳ３２）。制御部６８は、記憶動作が完了したのであれば、ＲＥＣキー４２のキーイルミネーション表示部５２を消灯し（ステップＳ３３）、ＬＣＤ表示部５３に“ＲＥＣ  ＤＯＮＥ”を表示する（ステップＳ３４）。尚、ユーザは、ＲＥＣキー４２のキーイルミネーション表示部５２の消灯及び“ＲＥＣ  ＤＯＮＥ”の表示で記憶動作が完了したことを認識することができる。
【００７３】
さらに制御部６８は、フォルダ管理部６３を通じてフォルダ内に記憶した音楽曲データに関わるフォルダ管理情報、例えば図４に示すフォルダ番号、ディスク情報、ファイル番号、本来のトラック番号及び記憶設定モードをフォルダ管理メモリ３２に記憶更新することで（ステップＳ３５）、この１トラック記憶処理の処理動作を終了する。
【００７４】
制御部６８は、ステップＳ２１にて特殊再生中であると判定されると、図５のステップＳ１１のＲＥＣキー４２による記憶操作の受付を無効にし、報知駆動制御部６７を通じてＬＣＤ表示部５３に“ＢＵＳＹ”を表示することで（ステップＳ３６）、この処理動作を終了する。尚、ユーザは、“ＢＵＳＹ”の表示で特殊再生中のため記憶動作を行うことができないことを認識することができる。
【００７５】
また、制御部６８は、ステップＳ２４にてフラッシュメモリ３１内に指定トラックの記憶可能な空き容量がないと判定されると、図５のステップＳ１１のＲＥＣキー４２による記憶操作の受付を無効にし、報知駆動制御部６７を通じてＬＣＤ表示部５３に“ＭＥＭＯＲＹ  ＦＵＬＬ”を表示することで（ステップＳ３７）、この処理動作を終了する。尚、ユーザは、“ＭＥＭＯＲＹ  ＦＵＬＬ”の表示でフラッシュメモリ３１の空き容量がないため、記憶動作を行うことができないことを認識することができる。
【００７６】
また、制御部６８は、ステップＳ２５にて指定ディスクが記憶可能ディスクでないと判定されると、図５のステップＳ１１のＲＥＣキー４２による記憶操作の受付を無効にし、報知駆動制御部６７を通じてＬＣＤ表示部５３に“ＮＯ  ＲＥＣ”を表示することで（ステップＳ３８）、この処理動作を終了する。尚、ユーザは、“ＮＯ  ＲＥＣ”の表示で記憶可能なディスクでないため、記憶動作を行うことができないことを認識することができる。
【００７７】
また、制御部６８は、ステップＳ２７にてフォルダ内に記憶対象の音楽曲データ（指定トラック）が未記憶でない、すなわち記憶済みであると判定されると、図５のステップＳ１１のＲＥＣキー４２による記憶操作の受付を無効にし、報知駆動制御部６７を通じてＬＣＤ表示部５３に“ＩＮＣＬＵＤＥＤ”を表示することで（ステップＳ３９）、この処理動作を終了する。尚、ユーザは、“ＩＮＣＬＵＤＥＤ”の表示で記憶済みであることを認識することができる。
【００７８】
また、制御部６８は、ステップＳ２６にて指定ディスクに対応したフォルダがフラッシュメモリ３１内にないと判定されると、この指定ディスクに対応したフォルダをフラッシュメモリ３１に作成し（ステップＳ４０）、記憶動作を開始すべく、ステップＳ２８に移行する。
【００７９】
図６に示す１トラック記憶処理によれば、現在ディスク再生中の音楽曲データをフラッシュメモリ３１内に圧縮記憶する際に同ディスクの固有識別情報及びフォルダ管理情報に基づいて同ディスクの記憶対象の音楽曲データがフラッシュメモリ３１内に記憶されているか否かを判定し、記憶対象の音楽曲データがフラッシュメモリ３１内に記憶されていないと判定されると、同記憶対象の音楽曲データをフラッシュメモリ３１に圧縮記憶すると共に、記憶対象の音楽曲データがフラッシュメモリ３１内に記憶されていると判定されると、同記憶対象の音楽曲データをフラッシュメモリ３１に記憶する記憶動作を禁止するようにしたので、１トラック単位での重複記憶を確実に防止することができる。
【００８０】
また、このような１トラック記憶処理によれば、ＲＥＣキー４２のキー操作（記憶操作）を検出したとしても、記憶不可能状態、例えば現在のディスク再生が特殊再生中の場合、フラッシュメモリ３１の空き容量が記憶対象の音楽曲データの容量に満たない場合、同指定トラックを記録したディスクが記憶可能ディスクでない場合、又はフラッシュメモリ３１内に同記憶対象の音楽曲データが記憶済みの場合には、ＲＥＣキー４２のキー操作の受付を無効とし、記憶動作を行わないようにしたので、１トラック単位での無駄な記憶動作を回避することができる。
【００８１】
このような１トラック記憶処理によれば、記憶可能状態の場合にはＲＥＣキー４２のキーイルミネーション表示部５２を緑色点灯し、記憶動作中の場合にはＲＥＣキー４２のキーイルミネーション表示部５２を緑色点滅し、記憶不可能状態の場合にはＲＥＣキー４２のキーイルミネーション表示部５２を消灯するようにしたので、ユーザはＲＥＣキー４２のキーイルミネーション表示部５２を目視するだけで記憶に関わる様々な状態を認識することができる。
【００８２】
次に図５に示すステップＳ１６のディスク記憶処理について説明する。図７はディスク記憶処理に関わるマイコン６の処理動作を示すフローチャートである。
【００８３】
図７に示すディスク記憶処理は、記憶対象の音楽曲データを記録したディスクの全音楽曲データを記憶対象としてフラッシュメモリ３１に圧縮記憶する、ディスク単位の記憶処理である。
【００８４】
図７においてマイコン６の制御部６８は、ディスク再生部２１にて特殊再生中であるか否かを判定する（ステップＳ５１）。
【００８５】
制御部６８は、ディスク再生部２１にて特殊再生中でないと判定されると、現在の通常再生を停止する（ステップＳ５２）。尚、この通常再生の停止は、記憶対象の音楽曲データを記録したディスク再生が終了してしまうの防止するためである。
【００８６】
記憶可能状態判定部６５は、ＤＳＰ２２を通じてフラッシュメモリ３１の空き容量と、ディスク再生部２１を通じて記憶対象のディスクの全音楽曲データ（指定ディスク）の容量とを夫々チェックし（ステップＳ５３）、フラッシュメモリ３１内に指定ディスクを記憶することができるだけの空き容量があるか否かを判定する（ステップＳ５４）。
【００８７】
さらに記憶可能状態判定部６５は、フラッシュメモリ３１内に記憶可能な空き容量があると判定されると、ディスク再生部２１を通じて指定ディスクが記憶可能ディスクであるか否かを判定する（ステップＳ５５）。
【００８８】
制御部６８は、ステップＳ５５にて記憶可能ディスクであると判定されると、記憶駆動制御部６１を通じて指定ディスクの先頭トラックに待機する（ステップＳ５６）。
【００８９】
さらに情報判定部６４は、固有識別情報検出部６２を通じてディスクの固有識別情報を検出し、この固有識別情報に含まれるディスク情報に対応したフォルダがフォルダ管理メモリ３２内にあるか否かを、フォルダ管理情報に基づいて判定する（ステップＳ５７）。
【００９０】
情報判定部６４は、同ディスクのディスク情報に対応したフォルダがあると判定されると、フォルダ管理情報に基づいて、同フォルダ内に同指定ディスクの全音楽曲データが記憶済みであるか否かを判定する（ステップＳ５８）。
【００９１】
尚、同フォルダ内に指定ディスクの全音楽曲データが記憶済みであるか否かは、同ディスクに対応したフォルダ管理情報内の全音楽曲データに関わるトラック番号が、同ディスクの固有識別情報に含まれる全音楽曲データに関わるトラック番号と合致しているかを判断するものである。つまり、フォルダ管理情報内の同ディスクに対応する全音楽曲データに関わる全トラック番号と同ディスクの固有識別情報に含まれる全音楽曲データに関わる全トラック番号とが合致していると判定されると、同フォルダ内に指定ディスクの全音楽曲データが記憶済みであると判断し、フォルダ管理情報内の同ディスクに対応する全音楽曲データに関わる全トラック番号と同ディスクの固有識別情報に含まれる全音楽曲データに関わる全トラック番号と合致していないと判定されると、同フォルダ内に指定ディスクの全音楽曲データが記憶済みでないと判断するものである。
【００９２】
制御部６８は、ステップＳ５８にてフォルダ管理情報に基づいて指定ディスクの全音楽曲データが記憶済みでないと判定されると、報知駆動制御部６７を通じて、ＲＥＣキー４２のキーイルミネーション表示部５２を緑色点灯する（ステップＳ５９）。尚、ユーザは、ＲＥＣキー４２のキーイルミネーション表示部５２の緑色点灯で記憶動作の開始を認識するものである。
【００９３】
さらに制御部６８は、図５のステップＳ１１のＲＥＣキー４２による記憶操作の受付を有効にすることで、記憶駆動制御部６１を通じて、現在待機中の先頭トラックから未記憶のトラックの先頭に戻り、未記憶の先頭トラックからフラッシュメモリ３１の同フォルダ内への記憶動作を開始する（ステップＳ６０）。尚、未記憶の先頭トラックからの記憶動作とは、例えばディスクに記録した１０曲の音楽曲データ内、トラック番号“２”及び“６”の音楽曲データを除いて、全ての音楽曲データがフラッシュメモリ３１に記憶済みの場合、まずは、未記憶のトラック番号“２”の音楽曲データを記憶し、その後、未記憶のトラック番号“６”の音楽曲データを同ディスクに対応したフォルダ内に記憶するものである。
【００９４】
制御部６８は、未記憶の先頭トラックからフラッシュメモリ３１の同フォルダ内への記憶動作を開始すると、報知駆動制御部６７を通じて、ＲＥＣキー４２のキーイルミネーション表示部５２を緑色点滅し（ステップＳ６１）、ＬＣＤ表示部５３に“ＤＩＳＣ  ＲＥＣ”を表示する（ステップＳ６２）。尚、ユーザは、ＲＥＣキー４２のキーイルミネーション表示部５２の緑色点滅で記憶動作中であることを認識することができ、さらには“ＤＩＳＣ  ＲＥＣ”でディスク記憶が行われていることを認識することができる。
【００９５】
制御部６８は、記憶駆動制御部６１を通じて指定ディスク内の未記憶の全音楽曲データの記憶動作が完了したか否かを判定する（ステップＳ６３）。制御部６８は、記憶動作が完了したのであれば、ＲＥＣキー４２のキーイルミネーション表示部５２を消灯し（ステップＳ６４）、ＬＣＤ表示部５３に“ＲＥＣ  ＤＯＮＥ”を表示する（ステップＳ６５）。尚、ユーザは、ＲＥＣキー４２のキーイルミネーション表示部５２の消灯及び“ＲＥＣ  ＤＯＮＥ”の表示で記憶動作が完了したことを認識することができる。
【００９６】
制御部６８は、フォルダ管理部６３を通じてフォルダ内に記憶した音楽曲データに関わるフォルダ管理情報、例えば図４に示すフォルダ番号、ディスク情報、ファイル番号、本来のトラック番号及び記憶設定モードをフォルダ管理メモリ３２に記憶更新することで（ステップＳ６６）、このディスク記憶処理の処理動作を終了する。
【００９７】
制御部６８は、ステップＳ５１にて特殊再生中であると判定されると、図５のステップＳ１１のＲＥＣキー４２による記憶操作の受付を無効にし、報知駆動制御部６７を通じてＬＣＤ表示部５３に“ＢＵＳＹ”を表示することで（ステップＳ６７）、この処理動作を終了する。尚、ユーザは、“ＢＵＳＹ”の表示で特殊再生中のため記憶動作を行うことができないことを認識することができる。
【００９８】
また、制御部６８は、ステップＳ５４にてフラッシュメモリ３１内に指定ディスクの記憶可能な空き容量がないと判定されると、図５のステップＳ１１のＲＥＣキー４２による記憶操作の受付を無効にし、報知駆動制御部６７を通じてＬＣＤ表示部５３に“ＭＥＭＯＲＹ  ＦＵＬＬ”を表示することで（ステップＳ６８）、この処理動作を終了する。尚、ユーザは、“ＭＥＭＯＲＹ  ＦＵＬＬ”の表示でフラッシュメモリ３１の空き容量がないため、記憶動作を行うことができないことを認識することができる。
【００９９】
また、制御部６８は、ステップＳ５５にて指定ディスクが記憶可能ディスクでないと判定されると、図５のステップＳ１１のＲＥＣキー４２による記憶操作の受付を無効にし、報知駆動制御部６７を通じてＬＣＤ表示部５３に“ＮＯ  ＲＥＣ  ＤＩＳＣ”を表示することで（ステップＳ６９）、この処理動作を終了する。尚、ユーザは、“ＮＯ  ＲＥＣ  ＤＩＳＣ”の表示で記憶可能なディスクでないため、記憶動作を行うことができないことを認識することができる。
【０１００】
また、制御部６８は、ステップＳ５８にてフォルダ管理情報に基づいて指定ディスクの全音楽曲データが記憶済みであると判定されると、図５のステップＳ１１のＲＥＣキー４２による記憶操作の受付を無効にし、報知駆動制御部６７を通じてＬＣＤ表示部５３に“ＩＮＣＬＵＤＥＤ”を表示することで（ステップＳ７０）、この処理動作を終了する。尚、ユーザは、“ＩＮＣＬＵＤＥＤ”の表示で記憶済みであることを認識することができる。
【０１０１】
また、制御部６８は、ステップＳ５７にて指定ディスクに対応したフォルダがフラッシュメモリ３１内にないと判定されると、この指定ディスクに対応したフォルダをフラッシュメモリ３１に作成し（ステップＳ７１）、報知駆動制御部６７を通じてＲＥＣキー４２のキーイルミネーション表示部５２を緑色点灯する（ステップＳ７２）。
【０１０２】
さらに制御部６８は、現在待機中の指定ディスク内の先頭トラックからフラッシュメモリ３１の同フォルダ内への記憶動作を開始し（ステップＳ７３）、ステップＳ６１に移行する。
【０１０３】
このように図７に示すディスク記憶処理によれば、現在ディスク再生中のディスク内の全音楽曲データをフラッシュメモリ３１内に圧縮記憶する際に同ディスクの固有識別情報及びフォルダ管理情報に基づいて同ディスクの記憶対象の音楽曲データがフラッシュメモリ３１内に記憶されているか否かを判定し、同ディスク内の全音楽曲データの内、フラッシュメモリ３１内に未記憶の音楽曲データがあると判定されると、同未記憶の音楽曲データのみをフラッシュメモリ３１に記憶すると共に、同ディスク内の全音楽曲データがフラッシュメモリ３１内に記憶済みであると判定されると、この記憶動作を禁止するようにしたので、ディスク単位での重複記憶を確実に防止することができる。
【０１０４】
また、このようなディスク記憶処理によれば、ＲＥＣキー４２のキー操作（記憶操作）を検出したとしても、記憶不可能状態、例えば現在のディスク再生が特殊再生中の場合、フラッシュメモリ３１の空き容量が記憶対象のディスクの全音楽曲データの容量に満たない場合、同指定ディスクが記憶可能ディスクでない場合、又はフラッシュメモリ３１内に同記憶対象の音楽曲データが記憶済みの場合には、ＲＥＣキー４２によるキー操作の受付を無効とし、記憶動作を行わないようにしたので、ディスク単位での無駄な記憶動作を回避することができる。
【０１０５】
このようなディスク記憶処理によれば、記憶可能状態の場合にはＲＥＣキー４２のキーイルミネーション表示部５２を緑色点灯し、記憶動作中の場合にはＲＥＣキー４２のキーイルミネーション表示部５２を緑色点滅し、記憶不可能状態の場合にはＲＥＣキー４２のキーイルミネーション表示部５２を消灯するようにしたので、ユーザはＲＥＣキー４２のキーイルミネーション表示部５２を目視するだけで記憶に関わる様々な状態を認識することができる。
【０１０６】
このように図６の１トラック記憶処理及び図７のディスク記憶処理にてフラッシュメモリ３１に記憶対象の音楽曲データを記憶するものであるが、これら記憶動作中にＲＤＳ放送信号の割込み信号が発生した場合の動作について説明する。図８は割込み信号フラグ設定処理に関わるマイコン６の処理動作を示すフローチャートである。
【０１０７】
図８に示す割込み信号フラグ設定処理とは、ジョグダイヤル４１Ｃの設定操作に応じて許可フラグ又は禁止フラグのいずれか一方を割込み信号フラグとして設定する処理である。
【０１０８】
図８においてマイコン６の操作監視部６６は、ジョグダイヤル４１Ｃの割込み信号フラグの設定操作を検出したか否かを判定する（ステップＳ８１）。
【０１０９】
制御部６８は、割込み信号の設定操作を検出すると、禁止フラグを選択したか否かを判定する（ステップＳ８２）。制御部６８は、禁止フラグを選択したのであれば、割込み信号フラグを禁止フラグに設定し（ステップＳ８３）、この処理動作を終了する。
【０１１０】
また、制御部６８は、ステップＳ８１にて割込み信号フラグの設定操作を検出したのでなければ、この処理動作を終了する。
【０１１１】
また、制御部６８は、ステップＳ８２にて禁止フラグを選択したのでなければ、許可フラグを選択したものと判断し、割込み信号フラグを許可フラグに設定し（ステップＳ８４）、この処理動作を終了する。
【０１１２】
図８に示す割込み信号フラグ設定処理によれば、ジョグダイヤル４１Ｃの簡単な操作で割込み信号フラグを許可フラグ又は禁止フラグのいずれかに設定することができる。
【０１１３】
図９は割込み信号検出処理に関わるマイコン６の処理動作を示すフローチャートである。
【０１１４】
図９に示す割込み信号検出処理とは、ＲＤＳ放送信号の割込み信号を検出した場合の記憶機能及びラジオチューナ機能の処理動作である。
【０１１５】
マイコン６の割込み信号検出部７０は、ＲＤＳデコーダ１４を通じてＲＤＳ放送信号の割込み信号を検出したか否かを判定する（ステップＳ９１）。
【０１１６】
マイコン６の記憶動作判定部７１は、割込み信号を検出すると、記憶駆動制御部６１を通じてディスク再生部２１による記憶対象の音楽曲データをフラッシュメモリ３１に記憶する記憶動作中であるか否かを判定する（ステップＳ９２）。
【０１１７】
マイコン６のフラグ判定部７２は、記憶動作判定部７１にて記憶動作中であると判定されると、現在設定中の割込み信号フラグが禁止フラグであるか否かを判定する（ステップＳ９３）。
【０１１８】
マイコン６のアラーム割込み判定部７３は、現在設定中の割込み信号フラグが禁止フラグであると判定されると、ステップＳ９１の割込み信号がアラーム割り込み信号であるか否かを判定する（ステップＳ９４）。
【０１１９】
制御部６８は、アラーム割込み信号でないと判定されると、ステップＳ９１の割込み信号の受付を無効とし（ステップＳ９５）、現在の記憶動作を継続することで（ステップＳ９６）、この処理動作を終了する。
【０１２０】
また、制御部６８は、ステップＳ９３にて割込み信号フラグが禁止フラグでない、すなわち許可フラグであると判定されると、ステップＳ９１の割込み信号の受付を有効とし（ステップＳ９７）、現在の記憶動作を中止して（ステップＳ９８）、ラジオチューナ１２を通じてＲＤＳ放送信号の割込み信号に対する受信動作を実行し（ステップＳ９９）、この処理動作を終了する。
【０１２１】
また、制御部６８は、ステップＳ９４にて割込み信号がアラーム割込み信号であると判定されると、このアラーム割込み信号に対する受信動作を実行すべく、スタップ９７に移行する。
【０１２２】
また、制御部６８は、ステップＳ９２にて記憶動作中でなければ、ステップＳ９１の割込み信号の受付を有効とすることで、ＲＤＳ放送信号の割込み信号に対する受信動作を実行すべく、ステップＳ９９に移行する。
【０１２３】
また、制御部６８は、ステップＳ９１にてＲＤＳ放送信号の割込み信号がないと判定されると、この処理動作を終了する。
【０１２４】
図９に示す割込み信号検出処理によれば、ＲＤＳ放送信号の割込み信号を検出し、記憶動作中であると判断し、さらに禁止フラグ設定中であると判断されると、割込み信号がアラーム割込み信号であるか否かを判定し、アラーム割込み信号であると判断されると、割込み信号の受付を有効にし、記憶動作を中止して、ＲＤＳ放送の受信動作を実行すると共に、アラーム割込み信号でないと判断されると、割込み信号の受付を無効にし、記憶動作を継続するようにしたので、ＲＤＳ放送信号の割込み信号が発生したとしてもディスク再生による記憶機能及び多重放送受信機能が同時に動作してしまう事態を確実に防止することができる。
【０１２５】
また、このような割込み信号検出処理によれば、割込み信号を検出し、記憶動作中であると判定されると、禁止フラグ設定中であるか否かを判定し、禁止フラグが設定中でない、すなわち許可フラグ設定中であると判定されると、割込み信号の受付を有効にし、記憶動作を中止して、ＲＤＳ放送信号の受信動作を実行するようにしたので、ＲＤＳ放送信号の割込み信号が発生したとしてもディスク再生による記憶機能及び多重放送受信機能が同時に動作してしまう事態を確実に防止することができる。
【０１２６】
本実施の形態によれば、禁止フラグの設定中で、しかも記憶動作中にＲＤＳ放送信号の割込み信号を検出すると、この割込み信号がアラーム割込み信号であるか否かを判定し、アラーム割込み信号であると判定されると、割込み信号の受付を有効にし、記憶動作を中止してＲＤＳ放送信号の受信動作を実行すると共に、アラーム割込み信号でないと判定されると、割込み信号の受付を無効にし、記憶動作を継続するようにしたので、ＲＤＳ放送信号の割込み信号が発生したとしてもディスク再生による記憶機能及びラジオチューナ機能が同時に動作してしまう事態を確実に防止することができる。
【０１２７】
本実施の形態によれば、許可フラグの設定中で、しかも記憶動作中にＲＤＳ放送信号の割込み信号を検出すると、この割込み信号の受付を有効にし、記憶動作を中止してＲＤＳ放送信号の受信動作を実行するようにしたので、ＲＤＳ放送信号の割込み信号が発生したとしてもディスク再生による記憶機能及びラジオチューナ機能が同時に動作してしまう事態を確実に防止することができる。
【０１２８】
尚、上記実施の形態においては、割込み信号フラグを設定するようにしたが、割込み信号フラグを設定しなくても、記憶動作中に割込み信号を検出すると、この割込み信号の受付を無効にし、記憶動作を継続するようにしても良い。
【０１２９】
また、割込み信号フラグを設定しなくても、記憶動作中に割込み信号を検出し、この割込み信号がアラーム割込み信号であるか否かを判定し、アラーム割込み信号でないと判定されると、割込み信号の受付を無効にし、記憶動作を継続すると共に、アラーム割込み信号であると判定されると、割込み信号の受付を有効にし、記憶動作を中止して割込み信号に対する受信動作を実行するようにしても良い。
【０１３０】
また、上記実施の形態においては、多重放送信号としてＲＤＳ放送信号を例にあげて説明したが、例えばＤＡＢ放送信号等の割込み信号を含む形式の多重放送信号であっても良く、同様の効果が得られることは言うまでもない。
【０１３１】
図７のディスク記憶処理のステップＳ５４にてフラッシュメモリ３１内に指定ディスクの全音楽曲データを記憶できる空き容量があるか否かを判定し、空き容量がない場合にはステップＳ６８の処理動作に移行するようにしたが、指定ディスクの全音楽曲データを記憶できる空き容量ではなく、指定ディスク内の未記憶の音楽曲データを記憶できる空き容量があるか否かを判断し、同未記憶の音楽曲データを記憶できる空き容量があった場合にはステップＳ５５に移行し、同未記憶の音楽曲データを記憶できる空き容量がなかった場合にはステップＳ６８に移行するようにしても良い。
【０１３２】
また、上記実施の形態においては、記憶対象の音楽曲データをフラッシュメモリ３１に圧縮記憶するようにしたが、フラッシュメモリ３１に限らず、ＭＤやハードディスク等であっても良いことは言うまでもない。
【０１３３】
また、上記実施の形態においては、ディスクの固有識別情報としてディスク情報及びトラック番号に基づき記憶対象の音楽曲データとフラッシュメモリ３１に記憶済みの音楽曲データとを比較するようにしたが、例えばディスクに含まれるアーティスト情報、アルバム情報やタイトル名等のテキスト情報を利用して、記憶対象の音楽曲データとフラッシュメモリ３１に記憶済みの音楽曲データとを比較しても、同様の効果が得られることは言うまでもない。
【０１３４】
また、上記実施の形態においては、フラッシュメモリ３１とフォルダ管理メモリ３２を別個に設けるようにしたが、例えばフラッシュメモリ３１内部の一部領域にフォルダ管理メモリ３２を設けるようにしても良いことは言うまでもない。
【０１３５】
【発明の効果】
上記のように構成された本発明のオーディオ装置によれば、多重放送の割込み信号を検出すると、記憶動作中であるか否かを判定し、記憶動作中であると判定されると、割込み信号の受付を無効とし、この記憶動作を継続すると共に、記憶動作中でないと判定されると、割込み信号の受付を有効とし、前記記憶動作を中止して、多重放送の受信動作を実行するようにしたので、多重放送の割込み信号が発生したとしても記録媒体再生による記憶機能及び多重放送受信機能が同時に動作してしまう事態を確実に防止することができる。
【０１３６】
本発明のオーディオ装置によれば、割込み信号を検出し、記憶動作中であると判定されると、禁止フラグ設定中であるか否かを判定し、禁止フラグが設定中であると判定されると、割込み信号の受付を無効とし、記憶動作を継続すると共に、禁止フラグが設定中でないと判定されると、割込み信号の受付を有効にし、記憶動作を中止して、多重放送の受信動作を実行するようにしたので、多重放送の割込み信号が発生したとしても記録媒体再生による記憶機能及び多重放送受信機能が同時に動作してしまう事態を確実に防止することができる。
【０１３７】
本発明のオーディオ装置によれば、割込み信号を検出し、記憶動作中であると判断し、さらに禁止フラグ設定中であると判断されると、割込み信号が特定割込み信号であるか否かを判定し、特定割込み信号であると判断されると、割込み信号の受付を有効にし、記憶動作を中止して、多重放送の受信動作を実行すると共に、特定割込み信号でないと判断されると、割込み信号の受付を無効にし、記憶動作を継続するようにしたので、多重放送の割込み信号が発生したとしても記録媒体再生による記憶機能及び多重放送受信機能が同時に動作してしまう事態を確実に防止することができる。
【０１３８】
本発明のオーディオ装置によれば、多重放送の緊急情報を示すアラーム割込み信号が発生したとしても、記録媒体再生による記憶機能及び多重放送受信機能が同時に動作してしまう事態を確実に防止することができる。
【図面の簡単な説明】
【図１】本発明のオーディオ装置における実施の形態を示す車載用オーディオ装置内部の概略構成を示すブロック図である。
【図２】本実施の形態を示す車載用オーディオ装置の操作パネルを示す説明図である。
【図３】本実施の形態を示す車載用オーディオ装置の要部であるマイコン内部の概略構成を示すブロック図である。
【図４】本実施の形態を示す車載用オーディオ装置のフォルダ管理メモリのメモリ内容を端的に示す説明図である。
【図５】本実施の形態を示す車載用オーディオ装置の記憶モード処理に関わるマイコンの処理動作を示すフローチャートである。
【図６】本実施の形態を示す車載用オーディオ装置の１トラック記憶処理に関わるマイコンの処理動作を示すフローチャートである。
【図７】本実施の形態を示す車載用オーディオ装置のディスク記憶処理に関わるマイコンの処理動作を示すフローチャートである。
【図８】本実施の形態を示す車載用オーディオ装置の割込み信号フラグ設定処理に関わるマイコンの処理動作を示すフローチャートである。
【図９】本実施の形態を示す車載用オーディオ装置の割込み信号検出処理に関わるマイコンの処理動作を示すフローチャートである。
【符号の説明】
１    車載用オーディオ装置（オーディオ装置）
１２  ラジオチューナ（多重放送受信手段）
１４  ＲＤＳデコーダ（多重放送受信手段）
２１  ディスク再生部（記録媒体再生手段）
２２  ＤＳＰ（記憶制御手段）
３１  フラッシュメモリ（記憶手段）
４１Ｃ  ジョグダイヤル（フラグ設定手段）
６１  記憶駆動制御部（記憶制御手段）
６８  制御部（制御手段）
７０  割込み信号検出部（割込み信号検出手段）
７１  記憶動作判定部（記憶動作判定手段）
７２  フラグ判定部（フラグ判定手段）
７３  アラーム割込み判定部（特定割込み判定手段）
【図１】
2004348872.tif 000003
【図２】
2004348872.tif 000004
【図３】
2004348872.tif 000005
【図４】
2004348872.tif 000006
【図５】
2004348872.tif 000007
【図６】
2004348872.tif 000008
【図７】
2004348872.tif 000009
【図８】
2004348872.tif 000010
【図９】
2004348872.tif 000011